【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  シリコーン組成物の非水性エマルジョンであって、当該組成物が、
（ａ）オルガノポリシロキサンのラジカル重合の反応生成物又はアルケニルシリコーン前駆体とハイドロジェンシリコーン前駆体とのヒドロシリル化反応の反応生成物であるシリコーンエラストマー、及び
（ｂ）非水性有機ヒドロキシル溶媒
を含んでなり、当該非水性エマルジョンが連続非水性相を含んでなるエマルジョン。
【請求項２】  前記アルケニルシリコーン前駆体が、１分子当たり平均２以上のアルケニル基を有するオルガノシロキサン又はオルガノポリシロキサンである、請求項１記載のエマルジョン。
【請求項３】  前記ハイドロジェンシリコーン前駆体が次式を有する樹脂である、請求項２記載のエマルジョン。
(ＭHwＱz)j
式中、Ｑは式ＳｉＯ4/2を有するものであり、ＭHはＨbＲ113-bＳｉＯ1/2を有するもので、符号ｂは１〜３の数であり、Ｒ11は炭素原子数１〜４０の一価炭化水素基であり、符号ｗとｚは０．５〜４．０の比を有し、符号ｊは２．０〜１００の数である。
【請求項４】  前記非水性有機ヒドロキシル溶媒が、エチレングリコール、エタノール、プロピルアルコール、イソプロピルアルコール、プロピレングリコール、ジプロピレングリコール、トリプロピレングリコール、ブチレングリコール、イソブチレングリコール、メチルプロパンジオール、グリセリン、ソルビトール、ポリエチレングリコール、ポリプロピレングリコールモノアルキルエーテル、ポリオキシアルキレン共重合体及びこれらの混合物からなる群から選択される、請求項１乃至請求項３のいずれか１項記載のエマルジョン。
【請求項５】  シリコーン組成物の非水性エマルジョンであって、当該組成物が、
（１）（Ａ）（ｉ）次式の線状アルケニル停止ポリオルガノシロキサンと
ＭviaＤxＤviyＭ2-a
［式中、符号ｘは５００を上回る数であり、ａ＋ｙが１〜２０の範囲内にあるという限定条件の下で、符号ｙは０〜２０の数であり、符号ａは０〜２の数であり、Ｍviは
Ｒ1Ｒ2Ｒ3ＳｉＯ1/2
（Ｒ1は炭素原子数２〜１０の一価不飽和炭化水素基であり、Ｒ2及びＲ3は各々独立に炭素原子数１〜４０の一価炭化水素基である）として定義され、Ｄは
Ｒ4Ｒ5ＳｉＯ2/2
（Ｒ4及びＲ5は各々独立に炭素原子数１〜４０の一価炭化水素基である）として定義され、Ｄviは
Ｄvi＝Ｒ6Ｒ7ＳｉＯ2/2
（Ｒ6は炭素原子数２〜１０の一価不飽和炭化水素基であり、Ｒ7は独立に炭素原子数１〜４０の一価炭化水素基である）として定義され、Ｍは
Ｍ＝Ｒ8Ｒ9Ｒ10ＳｉＯ1/2
（Ｒ8、Ｒ9及びＲ10は各々独立に炭素原子数１〜４０の一価炭化水素基である）として定義される］
（ii）次式：
(ＭHwＱz)j
［式中、Ｑは式ＳｉＯ4/2 を有するものであり、ＭHは
ＨbＲ113-bＳｉＯ1/2
（Ｒ11は炭素原子数１〜４０の一価炭化水素基であり、符号ｂは１〜３の数である）として定義され、符号ｗとｚは０．５〜４．０の比を有し、符号ｊは２．０〜１００の数である］の樹脂とのヒドロシリル化生成物によって形成されるシリコーンであって、該ヒドロシリル化が
（iii）２５℃で１０００センチストークス未満の粘度を有する第一のシリコーンの存在下で実施され、ゲルを形成したもの、及び
（Ｂ）２５℃で１０００センチストークス未満の粘度を有する第二のシリコーンであって、上記ゲルを第二のシリコーン中でスラリーとし、第二のシリコーンと共に混合処理に付したもの、並びに
（２）非水性有機ヒドロキシル溶媒
を含んでなり、当該非水性エマルジョンが連続非水性相を含んでなるエマルジョン。
【請求項６】  シリコーン組成物の非水性エマルジョンであって、当該組成物が
（１）（Ａ）（ｉ）次式：
ＭviaＤxＤviyＭ2-a
［式中、符号ｘは５００を上回る数であり、ａ＋ｙが１〜２０の範囲内にあるという限定条件の下で、符号ｙは０〜２０の数であり、符号ａは０〜２の数であり、Ｍviは
Ｒ1Ｒ2Ｒ3ＳｉＯ1/2
（Ｒ1は炭素原子数２〜１０の一価不飽和炭化水素基であり、Ｒ2及びＲ3は各々独立に炭素原子数１〜４０の一価炭化水素基である）として定義され、Ｄは
Ｒ4Ｒ5ＳｉＯ2/2
（Ｒ4及びＲ5は各々独立に炭素原子数１〜４０の一価炭化水素基である）として定義され、Ｄviは
Ｄvi＝Ｒ6Ｒ7ＳｉＯ2/2
（Ｒ6は炭素原子数２〜１０の一価不飽和炭化水素基であり、Ｒ7は独立に炭素原子数１〜４０の一価炭化水素基である）として定義され、Ｍは
Ｍ＝Ｒ8Ｒ9Ｒ10ＳｉＯ1/2
（Ｒ8、Ｒ9及びＲ10は各々独立に炭素原子数１〜４０の一価炭化水素基である）として定義される］の線状アルケニル停止ポリオルガノシロキサンと
（ii）次式：
(ＭHwＱz)j
［式中、Ｑは式ＳｉＯ4/2 を有するものであり、ＭHは
ＨbＲ113-bＳｉＯ1/2
（Ｒ11は炭素原子数１〜４０の一価炭化水素基であり、符号ｂは１〜３の数である）として定義され、符号ｗとｚは０．５〜４．０の比を有し、符号ｊは２．０〜１００の数である］の樹脂とのヒドロシリル化生成物によって形成されるシリコーンであって、該ヒドロシリル化が
（iii）２５℃で１０００センチストークス未満の粘度を有する第一のシリコーンの存在下で実施され、ゲルを形成したもの、及び
（Ｂ）２５℃で１０００センチストークス未満の粘度を有する第二のシリコーンであって、上記ゲルを第二のシリコーン中でスラリーとして、第二のシリコーンと共に混合処理に付し、第二のシリコーンと上記ゲルを含んでなる２５℃において５００〜１５００００センチストークスの粘度を有する均一液体を生じさせ、該均一液体が上記ゲルの初期平均粒度及び粒度分布を有しており、
ａ）上記均一液体を圧力に付し、
ｂ）上記均一液体をオリフィスを通しての圧力降下に付して、均一液体をオリフィスに通して均一液体の初期平均粒度を低下させ、かつ
ｃ）段階ａ）と段階ｂ）を繰返すことにより、上記ゲルの粒度分布を調節して粒度分布に
ｄ）２１〜２６ミクロンの範囲内の極大、
ｅ）３３〜３８ミクロンの範囲内の極大、及び
ｆ）５０〜６０ミクロンの範囲内の極大
が存在するようにしたもの、並びに
（２）非水性有機ヒドロキシル溶媒
を含んでなり、当該非水性エマルジョンが連続非水性相を含んでなるエマルジョン。
【請求項７】  前記非水性有機ヒドロキシル溶媒が、エチレングリコール、エタノール、プロピルアルコール、イソプロピルアルコール、プロピレングリコール、ジプロピレングリコール、トリプロピレングリコール、ブチレングリコール、イソブチレングリコール、メチルプロパンジオール、グリセリン、ソルビトール、ポリエチレングリコール、ポリプロピレングリコールモノアルキルエーテル、ポリオキシアルキレン共重合体及びこれらの混合物からなる群から選択される、請求項５又は請求項６記載のエマルジョン。
【請求項８】  第二のシリコーンが、Ｄ3、Ｄ4、Ｄ5、Ｄ6及びＭ′Ｄ′iＭ′及びこれらの混合物からなる群から選択される、請求項５乃至請求項７のいずれか１項記載のエマルジョン。
ただし、Ｄは
Ｒ4Ｒ5ＳｉＯ2/2
（Ｒ4 及びＲ5 は各々独立に炭素原子数１〜４０の一価炭化水素基である）として定義される］として定義され、Ｄ′は
Ｒ4Ｒ5ＳｉＯ2/2
（Ｒ4 及びＲ5 は各々独立に炭素原子数１〜４０の一価炭化水素基である）として定義され、Ｍ′は
Ｒ12Ｒ13Ｒ14ＳｉＯ1/2
（Ｒ12、Ｒ13及びＲ14は各々独立に炭素原子数１〜４０の一価炭化水素基である）として定義され、符号ｉは０〜３００である。
【請求項９】  請求項１乃至請求項８のいずれか１項記載のエマルジョンを含んでなる、化粧組成物。
【請求項１０】  当該化粧組成物が、デオドラント、発汗抑制剤、スキンクリーム、フェイシャルクリーム、シャンプー、ムース、スタイリングジェル、保護クリーム、リップ製品又は口紅、ファンデーション、頬紅、メークアップ及びマスカラからなる群から選択される、請求項９記載の化粧組成物。
【請求項１１】  請求項１乃至請求項８のいずれか１項記載のエマルジョンを含んでなる、ドラッグデリバリーシステム中の成分として有用な組成物。